(57)【要約】      （修正有）【課題】廃棄用テープの摘まみ部を掴み易い吸収性物品を提供する。【解決手段】腹側部Ａ、背側部Ｂ、及び股下部Ｃを有する吸収性物品１であって、背側部に、ウエスト伸縮領域Ｇ１と、ウエスト伸縮領域よりも股下部側に位置する非伸縮領域Ｒとを有し、吸収性物品の非肌対向面に、固定部と、中間部と、止着部とが、この順に積層され三つ折り状態となった廃棄用テープ１０が設けられ、廃棄用テープは、ウエスト伸縮領域と非伸縮領域との境界を跨ぐように吸収性物品の長手方向Ｘに沿って配され、廃棄用テープは、背側折り返し積層部と、腹側折り返し部と、摘まみ部とを有し、背側折り返し積層部は、ウエスト伸縮領域上に位置し、腹側折り返し部は、非伸縮領域上に位置し、摘まみ部は、少なくとも一部が伸縮領域上に位置している。【選択図】図１
0003229304.tif 000002
【実用新案登録請求の範囲】
【請求項１】
液透過性の表面シート、防漏シート、及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び前記腹側部と前記背側部との間に位置する股下部を有する吸収性物品であって、
前記背側部に、前記幅方向に収縮するウエスト伸縮領域と、該ウエスト伸縮領域よりも前記股下部側に位置し前記幅方向に伸縮しない非伸縮領域とを有しており、
前記ウエスト伸縮領域は、前記非伸縮領域よりも起伏の大きい凹凸を有し、
前記吸収性物品の非肌対向面に、廃棄用テープが設けられており、
前記廃棄用テープは、前記吸収性物品の非肌対向面に固定されている固定部と、中間部と、止着部とが、この順に該廃棄用テープの長手方向に沿って配されているとともに、この順に積層された三つ折り状態になっており、
三つ折り状態の前記廃棄用テープは、前記止着部と前記中間部との間が剥離可能に接合されているとともに、前記中間部と前記固定部との間も剥離可能に接合されており、
三つ折り状態の前記廃棄用テープは、前記ウエスト伸縮領域と前記非伸縮領域との境界を跨ぐように前記吸収性物品の前記長手方向に沿って配されており、
三つ折り状態になっている前記廃棄用テープは、前記背側部側に、前記固定部を構成するシート部材が前記中間部側に折り返された背側折り返し部が、前記中間部を構成するシート部材に接合されている背側折り返し積層部を有し、前記股下部側に、前記中間部を構成するシート部材又は前記止着部を構成するシート部材が折り返された腹側折り返し部を有しており、
前記止着部の先端部には摘まみ部が設けられており、
前記背側折り返し積層部の前記背側部側の端部は、前記ウエスト伸縮領域上に位置し、前記腹側折り返し部の前記股下部側の端部は、前記非伸縮領域上に位置しており、前記摘まみ部は、少なくとも一部が前記ウエスト伸縮領域上に位置している、吸収性物品。
【請求項２】
前記吸収性物品の長手方向において、前記背側折り返し積層部における前記股下部側の端部の位置と前記固定部の股下部側端部との間に、前記ウエスト伸縮領域と前記非伸縮領域との前記境界が位置している、請求項１に記載の吸収性物品。
【請求項３】
三つ折り状態になっている前記廃棄用テープが、前記中間部を構成するシート部材が前記止着部側に折り返されて前記止着部を構成するシート部材に接合されている前記腹側折り返し積層部を有している、請求項１又は２に記載の吸収性物品。
【請求項４】
前記中間部は、三つ折り状態を解除した展開状態において前記廃棄用テープの長手方向に伸長又は伸縮可能である、請求項１〜３の何れか１項に記載の吸収性物品。
【請求項５】
前記ウエスト伸縮領域に、前記凹凸として、前記長手方向に延びる縦襞と該縦襞間に位置する溝部とが、前記幅方向に沿って交互に形成されるようになされている、請求項１〜４の何れか１項に記載の吸収性物品。
【請求項６】
前記中間部を伸長させたときの該中間部の幅方向の長さが、前記吸収性物品の幅方向に隣り合う前記縦襞どうしの間の距離以下である、請求項５に記載の吸収性物品。
【請求項７】
前記廃棄用テープの前記摘まみ部における前記股下部側の端部が、前記ウエスト伸縮領域の前記縦襞上に配されている、請求項１〜６の何れか１項に記載の吸収性物品。
【請求項８】
前記吸収性物品は、前記吸収体よりも非肌対向面側に配された外装体を有しており、
前記外装体は、外層シートと、該外層シートよりも肌対向面側に配された内層シートと、前記外層シートと前記内層シートとの間に配された複数本の弾性部材とを有しており、
前記外装体は、前記ウエスト伸縮領域を有しており、
前記ウエスト伸縮領域において、前記外層シートと前記内層シートとの間が、熱シールにより部分的に接合された接合部において接合されており、
前記弾性部材は、その長さ方向の両端部において前記外層シート及び前記内層シートに接合されており、長さ方向の中央部近傍は前記外層シート及び前記内層シートに接合されていない、請求項１〜７の何れか１項に記載の吸収性物品。
【請求項９】
前記吸収性物品は、前記表面シート、前記防漏シート及び前記吸収体を有する吸収性本体と、前記吸収性本体よりも非肌対向面側に配された外装体を有しており、
前記吸収性物品の平面視において、前記非伸縮領域と重なる位置に前記吸収性本体が配されている、請求項１〜８の何れか１項に記載の吸収性物品。
【請求項１０】
前記吸収性物品の前記幅方向における前記非伸縮領域の両側に、複数本の弾性部材が前記幅方向に沿って配された下部伸縮領域が形成されており、
前記下部伸縮領域は、収縮状態において前記長手方向に延びる縦襞が前記幅方向に亘って複数形成されている、請求項１〜９の何れか１項に記載の吸収性物品。
【請求項１１】
前記下部伸縮領域の伸縮応力は、前記ウエスト伸縮領域の伸縮応力と異なる、請求項１０に記載の吸収性物品。
【請求項１２】
前記下部伸縮領域の伸縮応力は、前記ウエスト伸縮領域の伸縮応力よりも高い、請求項１１に記載の吸収性物品。
【請求項１３】
前記下部伸縮領域に配されている弾性部材の繊度は、前記ウエスト伸縮領域に配されている弾性部材の繊度と異なる、請求項１０〜１２の何れか１項に記載の吸収性物品。
【請求項１４】
前記下部伸縮領域の弾性部材の伸長率は、前記ウエスト伸縮領域の弾性部材の伸長率と異なる、請求項１０〜１３の何れか１項に記載の吸収性物品。
【考案の詳細な説明】
【技術分野】
【０００１】
本考案は、廃棄用テープを備えた吸収性物品に関する。
【背景技術】
【０００２】
使用後の廃棄を容易に且つ衛生的に行えるようにする観点から、使い捨ておむつを丸めた状態に維持し得る廃棄用テープを備えたおむつが知られている。例えば、本出願人は、先に、固定部と伸長部と止着部とがこの順で積層された三つ折り状態の廃棄用テープをおむつの外面に設け、該廃棄用テープにおける、止着部が伸長を開始する引張強度を伸長部が伸長を開始する引張強度よりも高くすることを提案している（特許文献１）。
【０００３】
また、特許文献２には、胴回り域に廃棄用止着テープを配設した使い捨て吸収性物品において、折り畳み位置を指示する目印をウエスト開口部から廃棄用止着テープのウエスト側上端縁近傍までの胴回り域で、腹側及び背側の何れか一方又は両方に、胴回りの右身ごろから左身ごろに亘って設けることにより、使用後の廃棄時にウエスト部から折り畳ませるように誘導して、廃棄用止着テープの長さの節約を可能とし、製造コストを低減することが記載されている。
【０００４】
また、特許文献３には、互いに直交する縦方向と横方向とを有し、腹側部と背側部と股下部と胴回り開口と一対の脚回り開口とを有するパンツ型使い捨ておむつが記載されている。特許文献３において、腹側部の胴回り開口の縁部は、背側部の胴回り開口の縁部よりも股下部の方へと縦方向にへこんだ凹部を有する。また特許文献３において、背側部の非肌側面には、おむつを廃棄する際におむつを縦方向に小さくした状態に固定するためのテープ部材が、縦方向の胴回り開口の方へと延長可能に固定されている。また特許文献３において、凹部は、横方向においてテープ部材と対応する位置に設けられている。
【先行技術文献】
【特許文献】
【０００５】
【特許文献１】特開２０１９−３０６３４号公報
【特許文献２】特開２００３−３１０６５７号公報
【特許文献３】特開２０１７−８６４６９号公報
【考案の概要】
【考案が解決しようとする課題】
【０００６】
特許文献１〜３に記載された吸収性物品は、例えば周囲が薄暗い場合などにおいては、廃棄用テープの配置位置によっては、該廃棄用テープにおける、吸収性物品の外面に固定されている側とは反対側の端部に位置する摘まみ部を把持し難い場合がある。
【０００７】
本考案の課題は、前述した従来技術が有する欠点を解消し得る吸収性物品を提供することにある。
【課題を解決するための手段】
【０００８】
本考案は、液透過性の表面シート、防漏シート、及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び前記腹側部と前記背側部との間に位置する股下部を有する吸収性物品であって、前記背側部に、前記幅方向に収縮するウエスト伸縮領域と、該ウエスト伸縮領域よりも前記股下部側に位置し前記幅方向に伸縮しない非伸縮領域とを有しており、前記ウエスト伸縮領域は、前記非伸縮領域よりも起伏の大きい凹凸を有し、前記吸収性物品の非肌対向面に、廃棄用テープが設けられており、前記廃棄用テープは、前記吸収性物品の非肌対向面に固定されている固定部と、中間部と、止着部とが、この順に該廃棄用テープの長手方向に沿って配されているとともに、この順に積層された三つ折り状態になっており、三つ折り状態の前記廃棄用テープは、前記止着部と前記中間部との間が剥離可能に接合されているとともに、前記中間部と前記固定部との間も剥離可能に接合されており、三つ折り状態の前記廃棄用テープは、前記ウエスト伸縮領域と前記非伸縮領域との境界を跨ぐように前記吸収性物品の前記長手方向に沿って配されており、三つ折り状態になっている前記廃棄用テープは、前記背側部側に、前記固定部を構成するシート部材が前記中間部側に折り返された背側折り返し部が、前記中間部を構成するシート部材に接合されている背側折り返し積層部を有し、前記股下部側に、前記中間部を構成するシート部材又は前記止着部を構成するシート部材が折り返された腹側折り返し部を有しており、前記止着部の先端部には摘まみ部が設けられており、前記背側折り返し積層部の前記背側部側の端部は、前記ウエスト伸縮領域上に位置し、前記腹側折り返し部の前記股下部側の端部は、前記非伸縮領域上に位置しており、前記摘まみ部は、少なくとも一部が前記ウエスト伸縮領域上に位置している、吸収性物品を提供するものである。
【考案の効果】
【０００９】
本考案によれば、廃棄用テープの摘まみ部を掴み易い。
【図面の簡単な説明】
【００１０】
【図１】図１は、本考案の吸収性物品の第１実施形態を示す斜視図である。
【図２】図２は、図１に示す吸収性物品の、展開且つ伸長状態における肌対向面側を模式的に示す展開平面図である。
【図３】図３は、図１に示す吸収性物品の、展開且つ伸長状態における非肌対向面側を模式的に示す展開背面図である。
【図４】図４は、収縮状態における、図１に示す吸収性物品の伸縮領域の模式斜視図である。
【図５】図５は、伸長状態における、図１に示す吸収性物品の伸縮領域の模式平面図である。
【図６】図６は、図１に示す吸収性物品に設けられた廃棄用テープの構造を示す断面図である。
【図７】図７は、図６に示す廃棄用テープの伸長状態を模式的に示す平面図である。
【図８】図８は、図３のＶＩＩＩ−ＶＩＩＩ線模式断面図である。
【図９】図９（ａ）は、図１に示す吸収性物品の廃棄形態を示す斜視図であり、図９（ｂ）は、図１に示す吸収性物品の廃棄形態を形成する過程で、図１に示す吸収性物品の廃棄用テープを伸長させる様子を示す斜視図である。
【図１０】図１０（ａ）及び（ｂ）は、本考案の廃棄用テープの変形例を示す要部断面図である。
【図１１】図１１は、本考案の廃棄用テープの変形例を示す断面図であり、図８相当図である。
【考案を実施するための形態】
【００１１】
以下本考案を、その好ましい実施形態に基づき図面を参照しながら説明する。図１には、本考案の吸収性物品の一実施形態である使い捨ておむつ１が示されている。同図に示す使い捨ておむつ１（以下、単に「おむつ１」ともいう。）は、図１に示すように、着用者の胴が通されるウエスト開口部１Ｗ、及び着用者の下肢が通される一対のレッグ開口部１Ｌ，１Ｌを有するパンツ型使い捨ておむつである。
【００１２】
おむつ１は、着用者の前後方向に対応する方向、すなわち腹側部Ａから股下部Ｃを介して背側部Ｂに延びる方向である長手方向Ｘと、おむつ１を図２に示すように平面状に広げた状態において、該長手方向Ｘと直交する幅方向Ｙとを有している。
おむつ１は、図２及び図３に示すように、液透過性の表面シート２、防漏シート３及びこれら両シート間に位置する吸収体４０を備えている。またおむつ１は、吸収体４０よりも非肌対向面側に外装体５を有している。より具体的には、表面シート２、防漏シート３、及び吸収体４０を有する吸収性本体４と、吸収性本体４の非肌対向面側に配された外装体５とを備えている。
【００１３】
表面シート２、防漏シート３及び吸収体４０は、おむつ１の長手方向Ｘにおいて、股下部Ｃから腹側部Ａ及び背側部Ｂそれぞれの一部にまで亘って延在している。
本実施形態のおむつ１における吸収体４０は、図６に示すように、液保持性の吸収性コア４１と該吸収性コア４１の肌対向面及び非肌対向面を被覆するコアラップシート４２とを含んで構成されている。吸収性コア４１は、吸水性ポリマーと親水性繊維とを含んで構成されている。コアラップシート４２は、図６に示すように、一枚で、吸収性コア４１の全周を被覆していても良いし、２枚以上で、吸収性コア４１の全周を被覆していても良い。
外装体５は、おむつ１の非肌対向面、即ちおむつ１の外面を形成している。おむつ１の長手方向Ｘは、吸収性本体４の長手方向と一致している。おむつ１は、図２に示すように、長手方向Ｘに延びる、該おむつ１を幅方向Ｙに二等分する長手方向中心線ＣＬに対して左右対称に形成されている。
【００１４】
本明細書において、「肌対向面」は、おむつ１等の吸収性物品又はその構成部材（例えば表面シート２）における、着用時に着用者の肌側に向けられる面、即ち相対的に着用者の肌に近い側であり、「非肌対向面」は、おむつ１等の吸収性物品又はその構成部材における、着用時に肌側とは反対側（着衣側）に向けられる面、即ち相対的に着用者の肌から遠い側である。尚、ここでいう「着用時」は、通常の適正な着用位置、即ち当該おむつ１の正しい着用位置が維持された状態を意味する。
【００１５】
おむつ１は、着用状態において着用者の腹側に配される腹側部Ａ、股間部に配される股下部Ｃ、及び着用者の背側に配される背側部Ｂを備えている。腹側部Ａ、背側部Ｂ及び股下部Ｃは、おむつ１０の長手方向Ｘの全長を３等分してそれら３つの部分に区分する。
おむつ１は、腹側部Ａ及び背側部Ｂそれぞれにおける外装体５の長手方向Ｘに沿う両側縁部どうしが、サイドシール部７において、接着剤、ヒートシール、超音波シール等の公知の接合手段によって互いに接合されており、この接合により、前述のウエスト開口部１Ｗ、及び一対のレッグ開口部１Ｌ，１Ｌが形成されている。
【００１６】
図２に、展開且つ伸長状態のおむつ１を示す。おむつ１の「展開且つ伸長状態」とは、各部の弾性部材を伸長させて設計寸法（弾性部材の影響を一切排除した状態で平面状に広げたときの寸法と同じ）となるまで拡げた状態をいう。図２に示すように、パンツ型吸収性物品等のパンツ型の吸収性物品においては、サイドシール部７等の側部に配される部分を切り離した後、設計寸法となるまで広げた状態である。
【００１７】
おむつ１は、背側部Ｂに、おむつ１の幅方向Ｙに収縮するウエスト伸縮領域Ｇ１と、ウエスト伸縮領域Ｇ１よりも股下部Ｃ側に位置しおむつ１の幅方向Ｙに伸縮しない非伸縮領域Ｒとを有している。本実施形態においては、ウエスト伸縮領域Ｇ１及び非伸縮領域Ｒは、外装体５に形成されている。ウエスト伸縮領域Ｇ１は、非伸縮領域Ｒよりも起伏の大きい凹凸を有している。より具体的には、ウエスト伸縮領域Ｇ１は、幅方向Ｙに沿って配された弾性部材５３の収縮によって、収縮状態において、非伸縮領域Ｒよりも起伏の大きい凹凸が形成されるようになされている。この点について詳述すると、複数本の弾性部材５３がおむつ１の幅方向Ｙに沿って配されており、弾性部材５３が収縮した収縮状態においては、外装体５が襞寄せされることによって、前記凹凸として、長手方向Ｘに延びる縦襞３０と該縦襞３０間に位置する溝部３７とが、幅方向Ｙに沿って交互に形成されるようになされている。他方、非伸縮領域Ｒには、外装体５を幅方向Ｙに収縮させる弾性部材が配されておらず、ウエスト伸縮領域Ｇ１に比して起伏が小さくなっている。非伸縮領域Ｒは、その非肌対向面が、起伏がない平坦面であってもよいし、弾性部材の収縮によらない高低差の小さい凹凸が存在していてもよい。起伏の大小は、厚み方向に沿う断面における、凸部の頂部と凹部の底部との高低差により比較する。おむつ１は、少なくとも背側部Ｂに、ウエスト伸縮領域Ｇ１と非伸縮領域Ｒとの境界である境界部Ｐ１を有している。
【００１８】
本実施形態のおむつ１における外装体５について更に詳細に説明すると、外装体５は、外層シート５５と、外層シート５５よりも肌対向面側に配された内層シート５６と、これら両シート５５，５６間に伸長状態で配された複数本の弾性部材５３，５４とを有している。複数本の弾性部材５３，５４は、おむつ１の幅方向に沿って配されている。外層シート５５は、おむつ１の外面を形成し、外層シート５５と内層シート５６とは隣接している。
外装体５は、図２に示すように、幅方向Ｙに伸縮する伸縮領域Ｇとして、前述したウエスト伸縮領域Ｇ１と、該ウエスト伸縮領域Ｇ１よりも股下部Ｃ側に形成された下部伸縮領域Ｇ２とを有している。また、腹側部Ａ及び背側部Ｂのそれぞれに、ウエスト伸縮領域Ｇ１及び下部伸縮領域Ｇ２を有している。また、ウエスト伸縮領域Ｇ１は、吸収性本体４よりも長手方向Ｘの外方に形成されている。図２において、符号５３はウエスト伸縮領域Ｇ１に配された弾性部材５３であり、符号５４は胴回り下部伸縮領域Ｇ２に配された弾性部材５４である。ウエスト伸縮領域Ｇ１と同様に、下部伸縮領域Ｇ２にも、縦襞３０及び溝部３７が、それぞれ長手方向Ｘに延びるように形成されている。
【００１９】
ウエスト伸縮領域Ｇ１は、吸収性本体４の長手方向Ｘの両端４ａ，４ｂそれぞれの外方に形成されている。ウエスト伸縮領域Ｇ１は、着用状態下に着用者のウエスト部に配される。
下部伸縮領域Ｇ２は、腹側部Ａ及び背側部Ｂのそれぞれの長手方向Ｘにおいて、吸収性本体４の長手方向Ｘの端４ａ，４ｂの位置とサイドシール部７の下端の位置との間に形成されている。下部伸縮領域Ｇ２では、弾性部材５４が、少なくとも、サイドシール部７と吸収性本体４の幅方向Ｙの側縁との間に亘って配されている。また下部伸縮領域Ｇ２では、吸収性本体４の幅方向Ｙの両側縁の間に、弾性部材５４が配されていないか、或いは、弾性部材５４が、弾性伸縮性を発現しないように細かく分断される等の処理を施された状態で配されている。
【００２０】
本実施形態のおむつ１において、非伸縮領域Ｒは、下部伸縮領域Ｇ２における吸収性本体４の幅方向Ｙの両側縁の間に位置している。つまり、おむつ１では、非伸縮領域Ｒは、外装体５における吸収性本体４と重なる位置に配されている。また、おむつ１の幅方向Ｙにおける非伸縮領域Ｒの両側に下部伸縮領域Ｇ２が配されている。
【００２１】
図４には、収縮状態におけるウエスト伸縮領域Ｇ１の一部が示されている。図４には、ウエスト伸縮領域Ｇ１における、非伸縮領域Ｒの長手方向Ｘ外方への延長上に位置する部分が示されている。図４に示すように、ウエスト伸縮領域Ｇ１には、表面に凹凸が形成されている。より具体的には、ウエスト伸縮領域Ｇ１には、上述のように、おむつ１の長手方向Ｘに延びる縦襞３０がおむつ１の幅方向Ｙに亘って複数形成されている。ウエスト伸縮領域Ｇ１には、縦襞３０とおむつ１の長手方向Ｘに延びる溝部３７とがおむつ１の幅方向Ｙに交互に配された凹凸構造が形成されている。
【００２２】
おむつ１の背側部Ｂにおける非肌対向面には、図１、図３及び図６に示すように、廃棄用テープ１０が設けられている。廃棄用テープ１０は、おむつ１の廃棄形態を維持するために用いられるものである。廃棄用テープ１０は、おむつ１の背側部Ｂにおける幅方向Ｙの略中央部に位置している。また廃棄用テープ１０は、その長手方向がおむつ１の長手方向Ｘに一致するように設けられている。
【００２３】
図６には、三つ折り状態になっている廃棄用テープ１０の断面構造が示されている。廃棄用テープ１０は、主として３つの部位から構成されている。具体的には、廃棄用テープ１０は、固定部１２と、中間部１５と、止着部１８とから構成されている。これら３つの部位は、この順で廃棄用テープ１０の長手方向Ｘ１に沿って配置されている。またこれら３つの部位は、この順で積層された三つ折り状態になっている。固定部１２と中間部１５との間には他の部材は介在しておらず、両者は直接に連設されている。同様に、中間部１５と止着部１８との間にも他の部材は介在しておらず、両者は直接に連設されている。尚、図６及び図８においては、説明の便宜上、固定部１２と中間部１５との間及び中間部１５と止着部１８との間に隙間があるように図示している。
【００２４】
三つ折り状態になっている廃棄用テープ１０は、背側部Ｂ側に背側折り返し積層部１０ｂを有し、腹側部Ａ側に腹側折り返し部１６’を有している。背側折り返し積層部１０ｂにおいては、固定部１２を構成する固定部用シート片１３が中間部１５側に折り返された背側折り返し部１３’が、中間部１５を構成する中間部用シート片１６に接合している。腹側折り返し部１６’は、中間部１５を構成する中間部用シート片１６又は止着部１８を構成する止着部用シート片１９が折り返されることにより形成される。本実施形態において、腹側折り返し部１６’は、中間部用シート片１６が止着部１８側に折り返されて形成されている。また、止着部１８の先端部には、摘まみ部２１が設けられている。
【００２５】
廃棄用テープ１０における固定部１２を構成する固定部用シート片１３は、第１面１３ａ及び第２面１３ｂを有している。三つ折り状態になっている廃棄用テープ１０において固定部用シート片１３は、後述する背側折り返し部１３’を除いて、第１面１３ａが中間部１５と対向し、第２面１３ｂがおむつ１の外面と対向している。また固定部１２は固定部用粘着部１４を有している。固定部用粘着部１４は、固定部用シート片１３の第２面１３ｂに設けられている。固定部１２は、固定部用粘着部１４によって、おむつ１における背側部Ｂの外面に固定されている。この固定部用粘着部１４を介して、廃棄用テープ１０は、おむつ１における背側部Ｂの外面に着脱不能に固定されている。廃棄用テープ１０をおむつ１の外面に固定する方法としては、ホットメルト型接着剤等の接着剤、融着等の公知の方法を用いることができる。
【００２６】
廃棄用テープ１０における中間部１５は、該廃棄用テープ１０に引張力が加わったときに比較的弱い引張力で容易に伸長し、廃棄用テープ１０の長さを増加させる部位である。中間部１５を構成する中間部用シート片１６は、先に述べた固定部用シート片１３と同じ長さであってもよく、異なる長さであってもよい。また、中間部用シート片１６は、固定部用シート片１３と同じ幅であってもよく、異なる幅であってもよい。中間部用シート片１６は、第１面１６ａ及び第２面１６ｂを有している。三つ折り状態になっている廃棄用テープ１０において中間部用シート片１６は、後述する腹側折り返し部１６’を除いて、第１面１６ａが止着部１８と対向し、第２面１６ｂが固定部１２と対向している。また中間部１５は中間部用粘着部１７を有している。中間部用粘着部１７は、中間部用シート片１６の第２面１６ｂに設けられている。中間部用粘着部１７は、三つ折り状態になっている廃棄用テープ１０における中間部１５と固定部１２との間を剥離可能に接合するものである。したがって中間部用粘着部１７は、低粘着性の粘着剤から構成されていることが好ましい。
【００２７】
先に述べた固定部１２における固定部用シート片１３は、廃棄用テープ１０の長手方向Ｘ１における一端が中間部１５側に折り返された背側折り返し部１３’を有している。そして背側折り返し部１３’が、中間部１５における中間部用シート片１６の一端と第２面１６ｂの側で接合されている。これによって、固定部１２と中間部１５とは直接に連設され、背側折り返し積層部１０ｂが形成されている。本実施形態において、背側折り返し積層部１０ｂは、中間部用シート片１６、固定部用シート片１３の背側折り返し部１３’、及び固定部用シート片１３における背側折り返し部１３’と対向している部分が積層している部分である。固定部１２と中間部１５とを連設する方法としては、ホットメルト型接着剤等の接着剤、融着等の公知の方法を用いることができる。
背側折り返し積層部１０ｂは、固定部１２と中間部１５との積層部における、該背側折り返し積層部１０ｂよりも股下部Ｃ側に位置する部分に比して剛性が高い。
【００２８】
廃棄用テープ１０における止着部１８は、おむつ１の外面における任意の位置に止着可能になっており、おむつ１の廃棄形態を廃棄用テープ１０で維持するときに、おむつ１の外面に止着される部位である。止着部１８は廃棄用テープ１０の先端域を形成している。止着部１８を構成する止着部用シート片１９は、固定部用シート片１３又は中間部用シート片１６と同じ長さであってもよく、異なる長さであってもよい。また、止着部用シート片１９は、固定部用シート片１３又は中間部用シート片１６と同じ幅であってもよく、異なる幅であってもよい。止着部用シート片１９は、第１面１９ａ及び第２面１９ｂを有している。三つ折り状態になっている廃棄用テープ１０において止着部用シート片１９は、第２面１９ｂが中間部１５と対向している。また止着部１８は止着部用粘着部２０を有している。止着部用粘着部２０は、止着部用シート片１９の第２面１９ｂに設けられている。止着部用粘着部２０は、三つ折り状態になっている廃棄用テープ１０における止着部１８と中間部１５との間を剥離可能に接合し、且つ止着部１８をおむつ１の外面における適切な部位に確実に止着するものである。この観点から止着部用粘着部２０の粘着性の程度が決定されることが好ましい。
【００２９】
先に述べた中間部１５における中間部用シート片１６は、その長手方向Ｘ１における一端が止着部１８側に折り返されて腹側折り返し部１６’が形成されている。そして腹側折り返し部１６’が、止着部１８を構成する止着部用シート片１９に接合している。より具体的には、腹側折り返し部１６’は、止着部１８における止着部用シート片１９の一端と第２面１９ｂの側で接合されている。これによって、中間部１５と止着部１８とは直接に連設され、腹側折り返し積層部１０ａが形成されている。本実施形態において、腹側折り返し積層部１０ａは、止着部用シート片１９、中間部用シート片１６の折り返し部１６’、及び中間部用シート片１６における折り返し部１６’と対向している部分及びそれらと厚み方向に重なる固定部用シート片１３が積層している部分である。中間部１５と止着部１８とを連設する方法としては、ホットメルト型接着剤等の接着剤、融着等の公知の方法を用いることができる。本実施形態では、図６に示すように、止着部１８を構成する止着部用シート片１９の股下部Ｃ側の端部は、腹側折り返し積層部１０ａの股下部Ｃ側の端部１０ａｅよりも背側部Ｂ側に位置しているが、止着部用シート片１９の股下部Ｃ側の端部と腹側折り返し積層部１０ａの股下部Ｃ側の端部１０ａｅとは、廃棄用テープ１０の長手方向Ｘ１の位置が同じであってもよいし、止着部用シート片１９の股下部Ｃ側の端部の方が腹側折り返し積層部１０ａの股下部Ｃ側の端部１０ａｅからさらに股下部Ｃ側に延出していてもよい（図１１参照）。
【００３０】
また、止着部１８における止着部用シート片１９の他端には、第２面１９ｂ側に摘まみ部２１が設けられている。摘まみ部２１は、該摘まみ部２１よりも止着部１８の第２面１９ｂ側に位置する部材と接合していない。第１実施形態では、摘まみ部２１は、中間部用シート片１６と接合していない。また摘まみ部２１は、止着部用シート片１９とは別体のシート片であり、止着部用シート片１９に接合されている。
【００３１】
以上のとおり３つの部位から構成される廃棄用テープ１０は、Ｚ字状に三つ折りされている。そして、三つ折り状態になっている廃棄用テープ１０における自由端、すなわち止着部１８における摘まみ部２１の取り付け部位が、おむつ１におけるウエスト開口部１Ｗ側を向くように、廃棄用テープ１０はおむつ１の背側部Ｂに取り付けられている。つまり、三つ折り状態になっている廃棄用テープ１０は、背側折り返し積層部１０ｂを背側部Ｂ側に向け、腹側折り返し積層部１０ａを股下部Ｃ側に向けて、おむつ１の背側部Ｂに取り付けられている。
【００３２】
中間部１５は、三つ折り状態を解除した展開状態において廃棄用テープ１０の長手方向Ｘ１に伸長可能であることが好ましい。より具体的には、中間部用シート片１６における、固定部用シート片１３又は止着部用シート片１９に接合された両端部以外の部分が、長手方向Ｘ１に伸長可能である。ここで、三つ折り状態を解除した展開状態とは、廃棄用テープ１０の中間部１５と固定部１２との間を剥離し、且つ中間部１５と止着部１８との間を剥離して、三つ折り状態の廃棄用テープ１０を直線状に展開した状態を意味する。前記展開状態において、廃棄用テープ１０は、人の力によって引き伸ばすことができ、その際、中間部１５を伸長させることができる。
【００３３】
また、中間部１５は、三つ折り状態を解除した展開状態において前記廃棄用テープの長手方向に沿って伸縮可能であることも好ましい。「伸縮可能」とは、廃棄用テープ１０に引張力が加わったときには伸長し、引張力を解除したときには収縮することを意味する。こうすることで、おむつ１の廃棄時に廃棄用テープ１０を引張りおむつ１の非肌対向面に止着させた後に、丸めた状態にあるおむつ１が開かないように締め付けることが出来る。
【００３４】
図７に、伸長状態における廃棄用テープ１０の様子を示す。廃棄用テープ１０を長手方向Ｘ１に引き伸ばすと、図７に示すように、中間部１５が伸長し、長手方向Ｘ１の外方から中央部に向かって、中間部１５の幅が漸次小さくなるように、幅縮みが生じる。
【００３５】
三つ折り状態になっている廃棄用テープ１０の配置位置について詳述する。三つ折り状態になっている廃棄用テープ１０は、図８に示すように、ウエスト伸縮領域Ｇ１と非伸縮領域Ｒとの境界である境界部Ｐ１を跨ぐように、おむつ１の長手方向Ｘに沿って配されている。背側折り返し積層部１０ｂの背側部Ｂ側の端部１０ｂｆは、ウエスト伸縮領域Ｇ１上に位置し、腹側折り返し積層部１０ａの股下部Ｃ側の端部１０ａｅは、非伸縮領域Ｒ上に位置し、摘まみ部２１は、少なくとも一部がウエスト伸縮領域Ｇ１上に位置している。
【００３６】
図９（ａ）には、使用後のおむつ１を廃棄するときの、おむつ１の廃棄形態が示されている。おむつ１を廃棄するときには、おむつ１を股下部Ｃからウエスト開口部１Ｗに向けて巻き上げていき、図９（ｂ）に示すような巻き上げ形態を作る。巻き上げ形態のおむつ１においては、背側部Ｂに設けられている廃棄用テープ１０が、巻き上げたおむつ１の外側に露出している。
次いで、図９（ｂ）に示すように、巻き上げ形態のおむつ１を一方の手で把持した状態で、他方の手で、摘まみ部２１を把持して引っ張り、廃棄用テープ１０の三つ折り状態を解除し、中間部１５を引き延ばしながら、廃棄用テープ１０を、巻き上げられて巻き上げ形態となったおむつ１の外周に巻き付け、止着部１８を、巻き上げ形態のおむつ１の外周面の適切な位置に止着させる。尚、図９（ａ）には、止着部１８を固定部１２上に止着した例を示したが、止着部１８を止着させる位置は、廃棄用テープ１０の構成部材上に限られない。
【００３７】
本実施形態のおむつ１は、三つ折り状態になっている廃棄用テープ１０の背側折り返し積層部１０ｂの背側部Ｂ側の端部１０ｂｆがウエスト伸縮領域Ｇ１に位置していることにより、背側折り返し積層部１０ｂと重なる伸縮領域Ｇ１の襞の凹凸が幅方向に伸長した状態で固定され、おむつ１の廃棄用テープ１０の背側折り返し積層部１０ｂの周囲との段差が生じる。その部分に摘まみ部２１が位置していることにより摘まみ部２１が浮き上がりやすく、廃棄用テープ１０の摘まみ部２１を掴み易くなっている。即ち、ウエスト伸縮領域Ｇ１の縦襞３０と溝部３７の凹凸差から生まれる触感と、廃棄用テープ１０の摘まみ部２１の触感が異なること、あるいは、縦襞３０と溝部３７から生じる隙間により摘まみ部２１と溝部で厚み方向の位置が異なることから、ウエスト伸縮領域Ｇ１の開口部から吸収体側に向かって指などで廃棄用テープ１０の摘まみ部２１を掴み易くなっている。
【００３８】
また、本実施形態のおむつ１においては、背側折り返し積層部１０ｂの剛性は、固定部１２と中間部１５との積層部における、該背側折り返し積層部１０ｂよりも股下部Ｃ側に位置する部分の剛性に比して高いため、廃棄用テープ１０を把持しようとしたときに、廃棄用テープ１０が、背側折り返し積層部１０ｂの股下部Ｃ側の端部１０ｂｅにおいてより折れ曲がり易くなっている。このため、背側折り返し積層部１０ｂと摘まみ部２１との間に隙間がより生じ易く、該隙間に指等がより引っ掛かり易く、該摘まみ部２１をより掴み易くなっている。背側折り返し積層部１０ｂの股下部Ｃ側の端部１０ｂｅとは、固定部用シート片１３の背側折り返し部１３’における股下部Ｃ側の端部１０ｂｅを意味する（図８及び図１１参照）。
【００３９】
また、本実施形態のおむつ１において、縦襞３０及び溝部３７は、ウエスト伸縮領域Ｇ１の肌対向面側及び非肌対向面側の両側に形成されている。廃棄用テープ１０の摘まみ部２１を掴み易くする観点から、肌対向面側の縦襞３０と非肌対向面側の縦襞３０とは幅方向Ｙにおいて同位置にあることが好ましく、また、同様の観点から、肌対向面側の溝部３７と非肌対向面側の溝部３７とも幅方向Ｙにおいて同位置にあることが好ましい。肌対向面側の縦襞３０は、肌対向面側に膨らんでいる。非肌対向面側の畝部３６は、非肌対向面側に膨らんでいる。
【００４０】
背側折り返し積層部１０ｂの股下部Ｃ側の端部１０ｂｅは、境界部Ｐ１よりも背側部Ｂ側に位置していてもよいし、境界部Ｐ１よりも股下部Ｃ側に位置していてもよいが、境界部Ｐ１よりも背側部Ｂ側に位置していることが好ましい。背側折り返し積層部１０ｂの股下部Ｃ側の端部１０ｂｅが、境界部Ｐ１よりも背側部Ｂ側に位置している場合、おむつ１の長手方向Ｘにおいて、背側折り返し積層部１０ｂにおける股下部Ｃ側の端部１０ｂｅの位置と固定部１２の股下部Ｃ側の端部１２ｅとの間に、境界部Ｐ１が位置していることが好ましい。これにより、ウエスト伸縮領域Ｇ１において、廃棄用テープ１０の背側折り返し積層部１０ｂが位置している部分と、該背側折り返し積層部１０ｂの周囲の部分との段差がより生じ易くなり、廃棄用テープ１０の摘まみ部２１をより掴み易くすることができる。
【００４１】
背側折り返し積層部１０ｂの股下部Ｃ側の端部１０ｂｅは、境界部Ｐ１よりも背側部Ｂ側に位置していてもよいし、境界部Ｐ１よりも股下部Ｃ側に位置していてもよい。境界部Ｐ１と背側折り返し積層部１０ｂの股下部Ｃ側の端部１０ｂｅとの間の距離Ｄ１は、背側折り返し積層部１０ｂの背側部Ｂ側の端部１０ｂｆと、腹側折り返し積層部１０ａの股下部Ｃ側の端部１０ａｅとの間の距離Ｄ２に対する割合が、小さい程好ましい。前記距離Ｄ１の前記距離Ｄ２に対する割合が小さいと、背側折り返し積層部１０ｂの股下部Ｃ側の端部１０ｂｅの位置と境界部Ｐ１の位置とが近づくため、廃棄用テープ１０の摘まみ部２１を把持しようとしたときに、境界部Ｐ１により近い位置において廃棄用テープ１０が折れ曲がり易くし、背側折り返し積層部１０ｂと摘まみ部２１との間に隙間がより生じ易くすることができる。この観点から、前記距離Ｄ１は、前記距離Ｄ２に対して好ましくは５０％以下であり、より好ましくは３０％以下である（図８参照）。
【００４２】
境界部Ｐ１と背側折り返し積層部１０ｂの股下部Ｃ側の端部１０ｂｅと間の距離Ｄ１は、背側折り返し積層部１０ｂの股下部Ｃ側の端部１０ｂｅの位置と境界部Ｐ１の位置とを近づける観点から、好ましくは２５ｍｍ以下であり、より好ましくは１５ｍｍ以下である（図８参照）。
【００４３】
また、本実施形態のおむつ１においては、廃棄用テープ１０の中間部１５を伸長させたときの該中間部１５の幅方向の長さＬ１は、おむつ１の幅方向Ｙに隣り合う縦襞３０どうしの間の距離Ｌ２以上であることが好ましい。これにより、おむつ１を廃棄形態にするために廃棄用テープ１０を伸長させたときに、隣り合う縦襞３０どうしの間に廃棄用テープ１０の中間部１５が入り込まず、襞のあるウエスト伸縮領域Ｇ１を廃棄用テープ１０でしっかりと抑えることが出来る。
【００４４】
中間部１５を伸長させたときの該中間部１５の幅方向の長さＬ１に対するおむつ１の幅方向Ｙに隣り合う縦襞３０どうしの間の距離Ｌ２の比であるＬ２／Ｌ１は、中間部１５を伸長させたときにより多くの縦襞３０を押さえる観点から、好ましくは１以下であり、より好ましくは０．９５以下であり、おむつ１を廃棄形態にするために廃棄用テープ１０を伸長させたときに、隣り合う縦襞３０どうしの間に廃棄用テープ１０の中間部１５が入り込まず、廃棄用テープ１０を適切な方向に巻き付けていることを視認しやすい観点から、好ましくは０．４以上であり、より好ましくは０．５以上であり、それらの両立の観点から、好ましくは０．４以上１以下であり、より好ましくは０．５以上０．９５以下である（図４及び図７参照）。
【００４５】
おむつ１の幅方向Ｙに隣り合う縦襞３０どうしの間の距離Ｌ２は、中間部１５を伸長させて止着したときに複数の縦襞３０を中間部１５によりおさえることができ、しっかり固定されやすくする観点から、好ましくは７．５ｍｍ以上であり、より好ましくは３．０ｍｍ以上であり、おむつ１を廃棄形態にするために廃棄用テープ１０を伸長させたときに、隣り合う縦襞３０どうしの間に廃棄用テープ１０の中間部１５が入り込み易くなり、廃棄用テープ１０を適切な方向に巻き付け易くする観点から、好ましくは１５ｍｍ以下であり、より好ましくは５．０ｍｍ以下であり、それらの両立の観点から、好ましくは０．５ｍｍ以上１５ｍｍ以下であり、より好ましくは１ｍｍ以上５ｍｍ以下である（図４参照）。
【００４６】
中間部１５を伸長させたときの該中間部１５の幅方向の長さＬ１は、以下のようにして測定することができる。
〔中間部１５を伸長させたときの該中間部１５の幅方向の長さＬ１の測定方法〕
まず、廃棄用テープ１０の三つ折り状態を解除し展開状態にする。そして、中間部１５が伸長しないようにまっすぐに伸ばした状態（このときの中間部１５の長さＳをＳ１とする）から、中間部１５の長さＳがＳ１の２倍になるまで、中間部１５を伸長させる。中間部１５の長さＨは、固定部用シート片１３と中間部用シート片１６との接合部における止着部１８側の端部から、中間部用シート片１６と止着部用シート片１９との接合部における固定部１２側の端部までの長さを意味する（図７参照）。上記のように、中間部１５を伸長させた状態でおむつのウエスト部分の縦襞間に中間部１５を固定し、そのときの中間部１５の幅を定規で測定する。このようにして測定した中間部１５の幅の長さを、中間部１５を伸長させたときの該中間部１５の幅方向の長さＬ１とする。
【００４７】
また、おむつ１の幅方向Ｙに隣り合う縦襞３０どうしの間の距離Ｌ２は、以下のようにして測定することができる。
〔おむつ１の幅方向Ｙに隣り合う縦襞３０どうしの間の距離Ｌ２の測定方法〕
収縮状態におけるウエスト伸縮領域Ｇ１の幅方向Ｙの中線から左右３０ｍｍを測定対象部位とする。測定対象部位を断面方向から見て凸部から隣接する凸部までの長さを縦襞1周期とし、測定対象部位における周期数を数える。そして、６０ｍｍを周期数で割った値をＬ２として算出する。
【００４８】
本実施形態のおむつ１においては、廃棄用テープ１０の摘まみ部２１における股下部Ｃ側の端部が、ウエスト伸縮領域Ｇ１の縦襞上に配されている、つまり、廃棄用テープ１０の摘まみ部２１が、ウエスト伸縮領域Ｇ１の縦襞３０上に配されていることが好ましい。これにより、例えば周囲が薄暗い場合であっても、廃棄用テープ１０の摘まみ部２１を把持しようとする際に、縦襞３０に沿ってウエスト伸縮領域Ｇ１を指等で触ることにより摘まみ部２１を見つけることができるようになる。
【００４９】
本実施形態においては、少なくとも腹側部Ａ及び背側部Ｂにおける外装体５は、図４及び図５に示すように、外層シート５５と内層シート５６とが、部分的に接合された接合部３８において接合されている。接合部３８は、長手方向Ｘ及び幅方向Ｙの両方向において間欠的に配置されている。接合部３８においては、外層シート５５と内層シート５６とが熱シールにより接合されている。弾性部材５３は、接合部３８を通らないように配されている。複数の弾性部材５３は、それぞれ、その長さ方向の両端部、具体的にはサイドシール部７又はその近傍に位置する部分のみにおいて両シート５５，５６に接合されており、それ以外の部分では両シート５５，５６に接合されていない。このような構成の外装体５において、外層シート５５及び内層シート５６それぞれは、おむつ１の自然状態又は着用状態において、複数の弾性部材５３に跨って長手方向Ｘに連続して延びる複数本の縦襞３０を形成する。そして、縦襞３０と縦襞３０との間がウエスト伸縮領域Ｇ１における溝部３７となる。
【００５０】
また、本実施形態のおむつ１は、前述のように、ウエスト伸縮領域Ｇ１において、外層シート５５と内層シート５６との間が、熱シールにより部分的に接合された接合部３８において接合されている。弾性部材５３は、その長さ方向の両端部において外層シート５５及び内層シート５６に接合されており、長さ方向の中央部近傍は外層５５シート及び内層シート５６に接合されていないことにより、廃棄用テープ１０を外層シート５５に接合した場合に、該廃棄用テープ１０が接合されている部分において、外層シート５５がおむつ１の幅方向Ｙに伸長した状態に維持され易く、弾性部材５３が収縮したとしても、該外層シート５５に凹凸が形成されにくくなっている。そのため、収縮状態のウエスト伸縮領域Ｇ１において、廃棄用テープ１０が接合されている部分は、それ以外の部分よりも起伏が小さくなる。つまり、廃棄用テープ１０が接合されている部分の厚みは該部分の周囲に比して厚みが小さくなるため、厚み差により廃棄用テープ１０の位置を認識し易くなる。また、弾性部材５３が収縮したとしても、廃棄用テープ１０が接合されている部分は収縮しにくい。そのため、廃棄用テープ１０がおむつ１の幅方向Ｙに折れ曲がったり、摘まみ部２１が過剰に浮き上がったりする等の廃棄用テープ１０の変形が生じにくく、廃棄用テープ１０に、おむつ１の装着時に着用者の衣服に引っ掛かる部分や衣服を押し上げるように出っ張る部分が生じることを防ぐことができる。
【００５１】
また、本実施形態のおむつ１において、上述のように、ウエスト伸縮領域Ｇ１に、長手方向Ｘに延びる縦襞３０と該縦襞３０間に位置する溝部３７とが、幅方向Ｙに沿って交互に形成されるようになされている。これにより、おむつ１の非肌対向面を指等で触り、縦襞３０の延びる方向を認識することで、おむつ１の長手方向Ｘを判断することができるようになっている。したがって、例えば周囲が薄暗い場合であっても、おむつ１の非肌対向面を指等で触ることにより、おむつ１の長手方向Ｘを判断することができるため、おむつ１を廃棄形態にする際に、廃棄用テープ１０をおむつ１の長手方向Ｘに沿って伸長させ易い。
【００５２】
また、本実施形態のおむつ１は、該おむつ１の平面視において、非伸縮領域Ｒと重なる位置に吸収性本体４が配されている。相対的に起伏の少ない非伸縮領域Ｒに吸収性本体４が配されているため、吸収体が伸縮せずに排泄物を吸収しやすい。さらに、おむつ１の着用者から該おむつ１を脱がす際に、排泄物を吸収した吸収性本体４が意図せず収縮し排泄物が漏れ出てしまうことを防ぐことができ、また、使用済みのおむつ１を廃棄する際におむつの非肌対向面に止着部を止着し易い。
【００５３】
また、本実施形態のおむつ１は、該おむつ１の幅方向Ｙにおける非伸縮領域Ｒの両側に、縦襞３０を有する下部伸縮領域Ｇ２が形成されている。したがって、おむつ１の背側部Ｂを指等で触り、縦襞３０の有無を認識することで、非伸縮領域Ｒの位置を認識することができるため、例えば周囲が薄暗い場合であっても、廃棄用テープ１０の配されている位置を判断し易く、廃棄用テープ１０の摘まみ部２１を掴み易くなっている。
【００５４】
下部伸縮領域Ｇ２の伸縮応力は、ウエスト伸縮領域Ｇ１の伸縮応力と異なっていることが好ましい。これにより、下部伸縮領域Ｇ２とウエスト伸縮領域Ｇ１とで、おむつ１の外形が異なるようになるため、廃棄用テープ１０の配置位置を認識し易い。
【００５５】
また下部伸縮領域Ｇ２のうち少なくとも廃棄用テープ１０が配置されている部位の幅方向Ｙにおける両側の伸縮応力は、ウエスト伸縮領域Ｇ１の伸縮応力よりも高いことが好ましい。これにより、廃棄用テープ１０の配置位置を認識し易いことに加え、吸収性本体４の幅方向Ｙの端部がまるまり易くなり、吸収性本体４が排泄物を吸収した場合であっても、吸収性本体４から排泄物が零れ難くすることができる。
【００５６】
下部伸縮領域Ｇ２の伸縮応力は、ウエスト伸縮領域Ｇ１の伸縮応力に比して、好ましくは１０５以上であり、より好ましくは１１０％以上であり、また好ましくは３００％以下であり、より好ましくは２５０％以下であり、また好ましくは１０５％以上３００％以下であり、より好ましくは１１０％以上２５０％以下である。
下部伸縮領域Ｇ２及びウエスト伸縮領域Ｇ１の伸縮応力は、以下の方法により測定される。
【００５７】
〔伸縮応力の測定方法〕
おむつを展開して平面状に拡げ、おむつ幅方向と平行な直線に沿って，測定対象部位を、平面視して幅方向Ｙに長い長方形形状の測定サンプルとして切り出す。この切り出しの際には、外装体のみならず、吸収性本体等を含むおむつ全体を切断する。切り出した各領域（測定サンプル）の長手方向の両端（サイドシール部のすぐ内側）を、（株）ＯＲＩＥＮＴＥＣ社製のテンシロン万能試験機（ＲＴＣ−１２１０Ａ）のチャックに挟み、測定サンプルを３００ｍｍ／ｍｉｎの速度で長手方向に伸長させ、外装体の内寸（弾性部材により外装体が収縮していない状態のサイドシール部間の長さ）を１００（例えば３５０ｍｍ）とした時の、８０相当（例えば２８０ｍｍ）の長さまで伸長させた後に、７１相当（例えば２５０ｍｍ）の長さまで収縮させた時の引張り荷重（ｃＮ）を各領域の応力とする。各領域の応力は、ウエスト伸縮領域Ｇ１及び下部伸縮領域Ｇ２それぞれの長手方向の長さあたりに換算することで，平均応力として算出される。下部伸縮領域Ｇ２については廃棄用テープ１０が配置されている部位の幅方向Ｙにおける両側の弾性部材が配されて伸縮する部位のみを測定対象部位とする。
外装体の内寸を１００としたときの７１相当の長さにおける戻りの力を規定した理由は、パンツおむつを着用する主たる幼児の腹回りの長さがおむつ内寸と比して７１％程度となるからである。なお、腹回りの長さは、幼児の姿勢が変化したときの腹回りの周長の変化を考慮し、立位および座位で測定した腹回りの平均値である。
【００５８】
下部伸縮領域Ｇ２の伸縮応力をウエスト伸縮領域Ｇ１の伸縮応力よりも高くする方法に特に制限はなく、各種公知の方法を用いることができる。例えば、下部伸縮領域Ｇ２に配されている弾性部材５４の繊度を、ウエスト伸縮領域Ｇ１に配されている弾性部材５３の繊度よりも大きくすればよい。
【００５９】
下部伸縮領域Ｇ２に配されている弾性部材５４の繊度は、ウエスト伸縮領域Ｇ１に配されている弾性部材５３の繊度と異なることが好ましい。これにより、ウエスト伸縮領域Ｇ１と下部伸縮領域Ｇ２とで、手触りが異なるようになるため、廃棄用テープ１０の配置位置を認識し易い。
【００６０】
下部伸縮領域Ｇ２に配されている弾性部材５４の繊度は、ウエスト伸縮領域Ｇ１に配されている弾性部材５３の繊度に対して、好ましくは１２０％以上であり、より好ましくは１５０％以上であり、また好ましくは３００％以下であり、より好ましくは２８０％以下であり、また好ましくは１２０％以上３００％以下であり、より好ましくは１５０％以上２８０％以下である。
下部伸縮領域Ｇ２に配されている弾性部材５４の繊度は、好ましくは３９０ｄｔｅｘ以上であり、より好ましくは４７０ｄｔｅｘ以上であり、また好ましくは９４０ｄｔｅｘ以下であり、より好ましくは７８０ｄｔｅｘ以下であり、また好ましくは３９０ｄｔｅｘ以上９４０ｄｔｅｘ以下であり、より好ましくは４７０ｄｔｅｘ以上７８０ｄｔｅｘ以下である。
ウエスト伸縮領域Ｇ１に配されている弾性部材５３の繊度は、好ましくは１８０ｄｔｅｘ以上であり、より好ましくは２００ｄｔｅｘ以上であり、また好ましくは６２０ｄｔｅｘ以下であり、より好ましくは４７０ｄｔｅｘ以下であり、また好ましくは８０ｄｔｅｘ以上６２０ｄｔｅｘ以下であり、より好ましくは２００ｄｔｅｘ以上４７０ｄｔｅｘ以下である。
【００６１】
また、下部伸縮領域Ｇ２の弾性部材５４の伸長率は、ウエスト伸縮領域Ｇ１の弾性部材５３の伸長率と異なっていることが好ましい。これにより、ウエスト伸縮領域Ｇ１と下部伸縮領域Ｇ２とで、収縮の仕方が異なるようになるため、廃棄用テープ１０の配置位置を認識し易い。
【００６２】
下部伸縮領域Ｇ２の弾性部材５４の伸長率は、ウエスト伸縮領域Ｇ１の弾性部材５３の伸長率に比して、好ましくは１．０５倍以上であり、より好ましくは１．１倍以上であり、また好ましくは２倍以下であり、より好ましくは１．８倍％以下であり、また好ましくは１．０５倍以上２倍以下であり、より好ましくは１．１倍以上１．８倍以下である。
下部伸縮領域Ｇ２及びウエスト伸縮領域Ｇ１の弾性部材５３，５４の伸長率は、以下の方法により測定される
【００６３】
〔伸長率の測定方法〕
おむつ１を、サイドシール部７を切り離して展開し、各部の弾性部材を伸長させて設計寸法となるまで伸長させた状態として固定する（図２参照）。そして、そのおむつ１におけるウエスト伸縮領域Ｇ１及び下部伸縮領域Ｇ２それぞれにおいて、同一の弾性部材上の所定の間隔ｈを開けた位置に２点（点α、点β）の印をつける。この２点の印は、弾性部材に印がつくように印をつける。次にその２点の印が含まれるようにウエスト伸縮領域Ｇ１及び下部伸縮領域Ｇ２のそれぞれから、おむつ１の幅方向Ｙが長手方向となる横長長方形状の測定サンプルを切り出す。そして、エタノールなどを用いて該測定サンプルの外層及び内層シート５５，５６から弾性部材を取り外す。弾性部材を、収縮力が発現しない程度に直線状に拡げて、前述した点αと点βとの間隔（Ｈ）を測定する。このとき、取り出した弾性部材を粘着テープなどで台に貼り付けるとよい。伸長率は、下記式（１）から求める。
伸長率（％）＝（ｈ／Ｈ  −１）×１００  ・・・（１）
前記所定の間隔ｈは、例えば４ｃｍである。ウエスト伸縮領域Ｇ１又は下部伸縮領域Ｇ２から長手方向の長さ４ｃｍの測定サンプルを切り出すことが出来ない場合、前記所定間隔ｈは４ｃｍに近い最大長さとする。
【００６４】
背側折り返し積層部１０ｂは、廃棄用テープ１０が折れ曲がり易くし、背側折り返し積層部１０ｂと摘まみ部２１との間に隙間がより生じ易くなるようにする観点から、少なくとも一部がウエスト伸縮領域Ｇ１上に位置していることが好ましく、背側折り返し積層部１０ｂの全体がウエスト伸縮領域Ｇ１上に位置していることがより好ましい。
【００６５】
摘まみ部２１は、廃棄用テープ１０の摘まみ部２１を掴み易くし、背側折り返し積層部１０ｂと摘まみ部２１との間に隙間がより生じ易くする観点から、少なくとも一部がウエスト伸縮領域Ｇ１上に位置していることが好ましく、該摘まみ部２１の全体がウエスト伸縮領域Ｇ１に位置していることがより好ましい。
腹側折り返し積層部１０ａは、少なくとも一部が非伸縮領域Ｒ上に位置していることが好ましく、その全体が非伸縮領域Ｒ上に位置していることがより好ましい。
【００６６】
また、廃棄用テープ１０の背側折り返し積層部１０ｂは、摘まみ部２１よりも剛性が高いことが好ましい。これにより、廃棄用テープ１０を触ったときに摘まみ部２１を認識し易くすることができ、廃棄用テープ１０の摘まみ部２１を掴み易くすることができる。
【００６７】
また、背側折り返し積層部１０ｂの厚みＴ１は、固定部１２の股下部Ｃ側の端部１２ｅの厚みＴ２よりも厚いことが好ましい。これにより、廃棄用テープ１０を触ったときに、その厚み差によって廃棄用テープ１０の向きを判断し易くなる。
【００６８】
また、摘まみ部２１は、固定部１２の股下部Ｃ側の端部１２ｅよりも、剛性が高いことが好ましい。これにより、三つ折り状態になっている廃棄用テープ１０の長手方向Ｘの両端部を触り比べることで、どちらの端部が摘まみ部２１であるかを判断することができるようになる。
【００６９】
中間部１５及び止着部１８それぞれを構成するシート片１６，１９としては、例えば伸長可能なフィルムを用いることができる。そのようなフィルムとしては、例えば単一層フィルム、及び共押出しフィルムのような多層フィルムが挙げられる。また、伸長可能なフィルムを構成する材料としては、例えば線状低密度ポリエチレンなどのポリオレフィンが好ましい。また、ポリ塩化ビニル、エチレン−酢酸ビニル共重合体及びポリビニルアルコールからなる群から選択される少なくとも１種の材料も好ましい。更に、少なくとも５０％、より好ましくは少なくとも７０％の永久変形を有する材料を用いることも有利である。
【００７０】
固定部１２を構成するシート片１３としては、上述したシート片の構成材料と同じものを用いても良く、伸長不可能、即ち塑性変形不可能な任意の材料を用いてもよい。例えば、樹脂性シート（プラスチックシート，フィルム等）、不織布、織布など、従来用いられていた公知のものを特に制限なく用いることができる。尚、固定部用シート片１３の構成材料が、伸長可能であったとしても、おむつ１の外面に固定されている部分においては、その伸長性は発現しない状態となっている。
【００７１】
中間部１５と固定部１２とを剥離可能に接合する中間部用粘着部１７や、止着部１８と中間部１５とを剥離可能に接合する止着部用粘着部２０としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。また、ヒートシール、ホットメルト系粘着剤、メルトブロー状又は繊維状の粘着剤若しくは接着剤等からなる粘着剤を用いてもよい。
【００７２】
中間部用粘着部１７及び止着部用粘着部２０はそれぞれ、中間部用シート片１６の第２面１６ｂの全面に形成されていてもよい。また、これら粘着部１７，２０はそれぞれ間欠的に形成されていてもよい。この場合、上述した粘着剤を間欠的に塗布することにより、これら粘着部１７，２０を間欠的に形成することができる。
【００７３】
おむつ１の外面に設けられる廃棄用テープ１０は、中間部用シート片１６の一方の端部に固定部用シート片１３を、中間部用シート片１６の他方の端部に止着部用シート片１９を部分的に積層し、接着剤等の公知の方法を用いてその積層部分を接合して一体化することにより製造することができる。前記積層部分においては、前記の実施形態のように、シート片の一部を折り返した折り返し部を形成してもよい。
【００７４】
おむつ１は、図２に示すように、長手方向Ｘに沿う吸収性本体４の両側部それぞれに、該長手方向Ｘに沿って延びる防漏カフ６，６を備えている。防漏カフ６，６は、吸収性本体４の長手方向Ｘの全長に亘って連続する撥水性のカフ形成用シート６１と、カフ形成用シート６１の幅方向Ｙの内方側に長手方向Ｘに伸長状態で固定された１本又は複数本のカフ弾性部材６２とを含んで構成されている。防漏カフ６，６は、長手方向Ｘに延びるカフ固定部（不図示）を介して表面シートに固定されている。防漏カフ６，６は、カフ弾性部材６２を有することで、肌対向面側に起立する。
【００７５】
外装体５、吸収性本体４に含まれる表面シート２、防漏シート３及び吸収体４０、並びに防漏カフ６，６等の構成部材に用いられる材料としては、当該技術分野においてこれまで用いられてきたものと同様のものを特に制限なく用いることができる。吸収性コアは、例えばパルプを始めとするセルロース系繊維等の親水性繊維の積繊体、該親水性繊維と吸水性ポリマーとの混合積繊体、吸水性ポリマーの堆積体、２枚の吸収性シート間に吸水性ポリマーが担持された積層構造体などから構成することができる。コアラップシートとしては、例えば親水性繊維からなる薄葉紙や、液透過性を有する不織布などを用いることができる。防漏シート３としては、透湿性の樹脂フィルム、非透湿性の樹脂フィルム、液難透過性の積層不織布等を用いることができる。
【００７６】
以上、本考案をその好ましい実施形態に基づき説明したが、本考案は前記実施形態に制限されない。例えば第１実施形態では、廃棄用テープ１０は、おむつ１の幅方向Ｙにおける略中央部に設けられていたが、廃棄用テープ１０を設ける部位はこれに限られず、例えばおむつ１の左右どちらかの側部域に設けられていてもよい。
また、第１実施形態では、摘まみ部２１は、止着部用シート片１９とは別体のシートであったが、摘まみ部２１は止着部用シート片１９の一部であってもよい。例えば、止着部用シート片１９の先端部における第２面１９ｂに止着部用粘着部２０を設けず、止着部用粘着部２０が設けられていない該先端部を摘まみ部２１としてもよい。また、止着部用シート片１９の先端部を中間部１５側に折り返し、第２面１９ｂどうしを接着させることにより、摘まみ部２１を形成してもよい。また摘まみ部２１は着色されていてもよい。
【００７７】
また、本考案のパンツ型着用物品は、幼児又は成人用のパンツ型使い捨ておむつの他、パンツ型の生理用ナプキン等であってもよい。
【００７８】
また、第１実施形態では、廃棄用テープ１０の中間部１５は、三つ折り状態を解除した展開状態において廃棄用テープ１０の長手方向Ｘ１に伸長可能であったが、廃棄用テープ１０の中間部１５は、伸長不可能であってもよい。
【００７９】
また、第１実施形態では、廃棄用テープ１０は、腹側折り返し積層部１０ａを有しているが、廃棄用テープ１０は、腹側折り返し積層部１０ａを有していなくてもよい。（図１０参照）。
【００８０】
図１０（ａ）に示す廃棄用テープ１０においては、止着部用シート片１９の長手方向Ｘ１における一端が中間部１５側に折り返されて折り返し部１９’が形成されている。そして折り返し部１９’が、中間部１５における中間部用シート片１６の一端と第１面１６ａの側で接合されている。これによって、中間部１５と止着部１８とは直接に連設され、腹側折り返し積層部１０ｃが形成されている。図１０（ａ）に示す形態において、腹側折り返し積層部１０ｃは、中間部用シート片１６、止着部用シート片１９の折り返し部１９’、及び止着部用シート片１９における折り返し部１９’と対向している部分とさらにそれらと厚み方向に重なる固定部用シート片１３が積層している部分である。
【００８１】
図１０（ｂ）に示す廃棄用テープ１０においては、中間部用シート片１６と止着部用シート片１９とは連続した一枚のシートとなっており、該一枚のシートが折り返されて腹側折り返し部が形成されている。この形態では、廃棄用テープ１０における、背側折り返し積層部１０ｂの股下部Ｃ側の端部および摘まみ部２１の股下部Ｃ側の端部よりも股下部Ｃ側の領域の剛性および厚みが均一になる。
【００８２】
また、本考案の吸収性物品に係る廃棄用テープは、図１１に示すような形態であってもよい。図１１に示す三つ折り状態の廃棄用テープ１０において、止着部１８は中間部１５から延出した部分Ｅ１を有している。また、中間部１５は固定部１２から延出した部分Ｅ２を有している。中間部１５の延出部分Ｅ２は、その一部がおむつ１の非肌対向面、より具体的には外層シート５５の非肌対向面に接触している。中間部１５の延出部分Ｅ２の一部は、おむつ１の非肌対向面に固定されていてもよいし、固定されていなくてもよい。また、固定部１２は、止着部１８の延出部分Ｅ１から延出した部分Ｅ３を有している。また、摘まみ部２１の先端は、背側折り返し積層部１０ｂの股下部Ｃ側の端部１０ｂｅよりも、股下部Ｃ側に位置している。
【００８３】
本考案は更に以下の付記を開示する。
＜１＞
液透過性の表面シート、防漏シート、及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び前記腹側部と前記背側部との間に位置する股下部を有する吸収性物品であって、
前記背側部に、前記幅方向に収縮するウエスト伸縮領域と、該ウエスト伸縮領域よりも前記股下部側に位置し前記幅方向に伸縮しない非伸縮領域とを有しており、
前記ウエスト伸縮領域は、前記非伸縮領域よりも起伏の大きい凹凸を有し、
前記吸収性物品の非肌対向面に、廃棄用テープが設けられており、
前記廃棄用テープは、前記吸収性物品の非肌対向面に固定されている固定部と、中間部と、止着部とが、この順に該廃棄用テープの長手方向に沿って配されているとともに、この順に積層された三つ折り状態になっており、
三つ折り状態の前記廃棄用テープは、前記止着部と前記中間部との間が剥離可能に接合されているとともに、前記中間部と前記固定部との間も剥離可能に接合されており、
三つ折り状態の前記廃棄用テープは、前記ウエスト伸縮領域と前記非伸縮領域との境界を跨ぐように前記吸収性物品の前記長手方向に沿って配されており、
三つ折り状態になっている前記廃棄用テープは、前記背側部側に、前記固定部を構成するシート部材が前記中間部側に折り返された背側折り返し部が、前記中間部を構成するシート部材に接合されている背側折り返し積層部を有し、前記股下部側に、前記中間部を構成するシート部材又は前記止着部を構成するシート部材が折り返された腹側折り返し部を有しており、
前記止着部の先端部には摘まみ部が設けられており、
前記背側折り返し積層部の前記背側部側の端部は、前記ウエスト伸縮領域上に位置し、前記腹側折り返し部の前記股下部側の端部は、前記非伸縮領域上に位置しており、前記摘まみ部は、少なくとも一部が前記ウエスト伸縮領域上に位置している、吸収性物品。
【００８４】
＜２＞
前記吸収性物品の長手方向において、前記背側折り返し積層部における前記股下部側の端部の位置と前記固定部の股下部側端部との間に、前記ウエスト伸縮領域と前記非伸縮領域との前記境界が位置している、前記＜１＞に記載の吸収性物品。
＜３＞
三つ折り状態になっている前記廃棄用テープは、
前記背側折り返し積層部における前記背側部側の端部と前記腹側折り返し部の前記股下部側の端部との間の距離に対する、前記ウエスト伸縮領域と前記非伸縮領域との前記境界と前記背側折り返し積層部における前記股下部側の端部との距離の比率が、０．１％以上５０％以下であり、好ましくは１２％以上３０％以下である、前記＜２＞に記載の吸収性物品。
＜４＞
前記ウエスト伸縮領域と前記非伸縮領域との前記境界と、前記背側折り返し積層部における前記股下部側の端部の位置が一致している、前記＜２＞に記載の吸収性物品。
【００８５】
＜５＞
前記ウエスト伸縮領域と前記非伸縮領域との前記境界と、前記背側折り返し積層部における前記股下部側の端部との距離が、０．１ｍｍ以上２５ｍｍ以下であり、好ましくは１ｍｍ以上１５ｍｍ以下である、前記＜２＞〜＜４＞の何れか１に記載の吸収性物品。
＜６＞
三つ折り状態になっている前記廃棄用テープが、前記中間部を構成するシート部材が前記止着部側に折り返されて前記止着部を構成するシート部材に接合されている前記腹側折り返し積層部を有している、前記＜１＞〜＜５＞の何れか１に記載の吸収性物品。
＜７＞
前記中間部は、三つ折り状態を解除した展開状態において前記廃棄用テープの長手方向に伸長または伸縮可能である、前記＜１＞〜＜６＞の何れか１に記載の吸収性物品。
＜８＞
前記ウエスト伸縮領域に、前記凹凸として、前記長手方向に延びる縦襞と該縦襞間に位置する溝部とが、前記幅方向に沿って交互に形成されるようになされている、前記＜１＞〜＜７＞の何れか１に記載の吸収性物品。
＜９＞
前記中間部を伸長させたときの該中間部の幅方向の長さが、前記吸収性物品の幅方向に隣り合う前記縦襞どうしの間の距離以下である、前記＜８＞に記載の吸収性物品。
【００８６】
＜１０＞
前記吸収性物品の幅方向に隣り合う前記縦襞どうしの間の距離に対する前記中間部を伸長させたときの該中間部の幅方向の長さの比率が、０．４以上１以下、好ましくは０．５以上０．９５以下である、前記＜９＞に記載の吸収性物品。
＜１１＞
前記吸収性物品の幅方向に隣り合う前記縦襞どうしの間の距離が、０．５ｍｍ以上１５ｍｍ以下、好ましくは１ｍｍ以上５ｍｍ以下である、前記＜９＞又は＜１０＞に記載の吸収性物品。
＜１２＞
前記廃棄用テープの前記摘まみ部における前記股下部側の端部が、前記ウエスト伸縮領域の前記縦襞上に配されている、前記＜１＞〜＜１１＞の何れか１に記載の吸収性物品。
【００８７】
＜１３＞
前記吸収性物品は、前記吸収体よりも非肌対向面側に配された外装体を有しており、
前記外装体は、外層シートと、該外層シートよりも肌対向面側に配された内層シートと、前記外層シートと前記内層シートとの間に配された複数本の弾性部材とを有しており、
前記外装体は、前記ウエスト伸縮領域を有しており、
前記ウエスト伸縮領域において、前記外層シートと前記内層シートとの間が、熱シールにより部分的に接合された接合部において接合されており、
前記弾性部材は、その長さ方向の両端部において前記外層シート及び前記内層シートに接合されており、長さ方向の中央部近傍は前記外層シート及び前記内層シートに接合されていない、前記＜１＞〜＜１２＞の何れか１に記載の吸収性物品。
【００８８】
＜１４＞
前記吸収性物品は、前記表面シート、前記防漏シート及び前記吸収体を有する吸収性本体と、前記吸収性本体よりも非肌対向面側に配された外装体を有しており、
前記吸収性物品の平面視において、前記非伸縮領域と重なる位置に前記吸収性本体が配されている、前記＜１＞〜＜１３＞の何れか１に記載の吸収性物品。
＜１５＞
前記吸収性物品の前記幅方向における前記非伸縮領域の両側に、複数本の弾性部材が前記幅方向に沿って配された下部伸縮領域が形成されており、
前記下部伸縮領域は、収縮状態において前記長手方向に延びる縦襞が前記幅方向に亘って複数形成されている、前記＜１＞〜＜１４＞の何れか１に記載の吸収性物品。
【００８９】
＜１６＞
前記下部伸縮領域の伸縮応力は、前記ウエスト伸縮領域の伸縮応力と異なる、前記＜１５＞に記載の吸収性物品。
＜１７＞
前記下部伸縮領域の伸縮応力は、前記ウエスト伸縮領域の伸縮応力よりも高い、前記＜１６＞に記載の吸収性物品。
＜１８＞
前記ウエスト伸縮領域の伸縮応力に対する前記下部伸縮領域の伸縮応力が、１０５％以上３００％以下、好ましくは１１０％以上２５０％以下である、前記＜１７＞に記載の吸収性物品。
【００９０】
＜１９＞
前記下部伸縮領域に配されている弾性部材の繊度は、前記ウエスト伸縮領域に配されている弾性部材の繊度と異なる、前記＜１５＞〜＜１８＞の何れか１に記載の吸収性物品。
＜２０＞
前記ウエスト伸縮領域に配されている弾性部材の繊度に対する前記下部伸縮領域に配されている弾性部材の繊度の比率が、１２０％以上３００％以下、好ましくは１５０％以上２８０％以下である、前記＜１９＞に記載の吸収性物品。
＜２１＞
前記下部伸縮領域に配されている弾性部材の繊度が、３９０ｄｔｅｘ以上９４０ｄｔｅｘ以下、好ましくは４７０ｄｔｅｘ以上７８０ｄｔｅｘ以下である、前記＜１９＞又は＜２０＞に記載の吸収性物品。
＜２２＞
前記ウエスト伸縮領域に配されている弾性部材の繊度が、１８０ｄｔｅｘ以上６２０ｄｔｅｘ以下、好ましくは２００ｄｔｅｘ以上４７０ｄｔｅｘ以下である、前記＜１９＞〜＜２１＞の何れか１に記載の吸収性物品。
【００９１】
＜２３＞
前記下部伸縮領域の弾性部材の伸長率は、前記ウエスト伸縮領域の弾性部材の伸長率と異なる、前記＜１５＞〜＜２２＞の何れか１に記載の吸収性物品。
＜２４＞
前記ウエスト伸縮領域の弾性部材の伸長率に対する前記下部伸縮領域の弾性部材の伸長率の比率が、１．０５倍以上２倍以下、好ましくは１．１倍以上１．８倍以下である、前記＜２３＞に記載の吸収性物品。
【００９２】
＜２５＞
前記廃棄用テープの前記背側折り返し積層部の少なくとも一部が前記ウエスト伸縮領域に位置している、前記＜１＞〜＜２４＞の何れか１に記載の吸収性物品。
＜２６＞
前記背側折り返し積層部の全体が前記ウエスト伸縮領域に位置している、前記＜１＞〜＜２５＞の何れか１に記載の吸収性物品。
＜２７＞
前記摘まみ部の少なくとも一部が前記ウエスト伸縮領域に位置している、前記＜１＞〜＜２６＞の何れか１に記載の吸収性物品。
＜２８＞
前記摘まみ部の全体が前記ウエスト伸縮領域に位置している、前記＜１＞〜＜２７＞の何れか１に記載の吸収性物品。
【００９３】
＜２９＞
前記背側折り返し積層部の剛性が、前記摘まみ部の剛性よりも高い、前記＜１＞〜＜２８＞の何れか１に記載の吸収性物品。
＜３０＞
前記背側折り返し積層部の厚みが、前記固定部の前記股下部側の端部の厚みよりも厚い、前記＜１＞〜＜２９＞の何れか１に記載の吸収性物品。
＜３１＞
前記摘まみ部の剛性が、前記固定部の前記股下部側の端部の剛性よりも高い、前記＜１＞〜＜３０＞の何れか１に記載の吸収性物品。
【符号の説明】
【００９４】
１  使い捨ておむつ
１Ｌ  レッグ開口部
１Ｗ  ウエスト開口部
２  表面シート
３  防漏シート
４  吸収性本体
４０  吸収体
４１  吸収性コア
１０  廃棄用テープ
１０ａ  腹側折り返し積層部
１０ｂ  背側折り返し積層部
１２  固定部
１３  固定部用シート片
１４  固定部用粘着部
１５  中間部
１６  中間部用シート片
１７  中間部用粘着部
１８  止着部
１９  止着部用シート片
２０  止着部用粘着部
２１  摘まみ部
Ａ  腹側部
Ｂ  背側部
Ｃ  股下部
Ｇ１  ウエスト伸縮領域
Ｇ２  下部伸縮領域
Ｒ  非伸縮領域 
【図１】
0003229304.tif 000003
【図２】
0003229304.tif 000004
【図３】
0003229304.tif 000005
【図４】
0003229304.tif 000006
【図５】
0003229304.tif 000007
【図６】
0003229304.tif 000008
【図７】
0003229304.tif 000009
【図８】
0003229304.tif 000010
【図９】
0003229304.tif 000011
【図１０】
0003229304.tif 000012
【図１１】
0003229304.tif 000013
【手続補正書】
【提出日】令和2年9月1日(2020.9.1)
【手続補正１】
【補正対象書類名】実用新案登録請求の範囲
【補正対象項目名】全文
【補正方法】変更
【補正の内容】
【実用新案登録請求の範囲】
【請求項１】
液透過性の表面シート、防漏シート、及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び前記腹側部と前記背側部との間に位置する股下部を有する吸収性物品であって、
前記背側部に、前記幅方向に収縮するウエスト伸縮領域と、該ウエスト伸縮領域よりも前記股下部側に位置し前記幅方向に伸縮しない非伸縮領域とを有しており、
前記ウエスト伸縮領域は、前記非伸縮領域よりも起伏の大きい凹凸を有し、
前記吸収性物品の非肌対向面に、廃棄用テープが設けられており、
前記廃棄用テープは、前記吸収性物品の非肌対向面に固定されている固定部と、中間部と、止着部とが、この順に該廃棄用テープの長手方向に沿って配されているとともに、この順に積層された三つ折り状態になっており、
三つ折り状態の前記廃棄用テープは、前記止着部と前記中間部との間が剥離可能に接合されているとともに、前記中間部と前記固定部との間も剥離可能に接合されており、
三つ折り状態の前記廃棄用テープは、前記ウエスト伸縮領域と前記非伸縮領域との境界を跨ぐように前記吸収性物品の前記長手方向に沿って配されており、
三つ折り状態になっている前記廃棄用テープは、前記背側部側に、前記固定部を構成するシート部材が前記中間部側に折り返された背側折り返し部が、前記中間部を構成するシート部材に接合されている背側折り返し積層部を有し、前記股下部側に、前記中間部を構成するシート部材又は前記止着部を構成するシート部材が折り返された腹側折り返し部を有しており、
前記止着部の先端部には摘まみ部が設けられており、
前記背側折り返し積層部の前記背側部側の端部は、前記ウエスト伸縮領域上に位置し、前記腹側折り返し部の前記股下部側の端部は、前記非伸縮領域上に位置しており、前記摘まみ部は、少なくとも一部が前記ウエスト伸縮領域上に位置している、吸収性物品。
【請求項２】
前記吸収性物品の長手方向において、前記背側折り返し積層部における前記股下部側の端部の位置と前記固定部の股下部側端部との間に、前記ウエスト伸縮領域と前記非伸縮領域との前記境界が位置している、請求項１に記載の吸収性物品。
【請求項３】
三つ折り状態になっている前記廃棄用テープが、前記中間部を構成するシート部材が前記止着部側に折り返されて前記止着部を構成するシート部材に接合されている前記腹側折り返し積層部を有している、請求項１又は２に記載の吸収性物品。
【請求項４】
前記中間部は、三つ折り状態を解除した展開状態において前記廃棄用テープの長手方向に伸長又は伸縮可能である、請求項１〜３の何れか１項に記載の吸収性物品。
【請求項５】
前記ウエスト伸縮領域に、前記凹凸として、前記長手方向に延びる縦襞と該縦襞間に位置する溝部とが、前記幅方向に沿って交互に形成されるようになされている、請求項１〜４の何れか１項に記載の吸収性物品。
【請求項６】
前記中間部を伸長させたときの該中間部の幅方向の長さが、前記吸収性物品の幅方向に隣り合う前記縦襞どうしの間の距離以上である、請求項５に記載の吸収性物品。
【請求項７】
前記廃棄用テープの前記摘まみ部における前記股下部側の端部が、前記ウエスト伸縮領域の前記縦襞上に配されている、請求項５又は６の何れか１項に記載の吸収性物品。
【請求項８】
前記吸収性物品は、前記吸収体よりも非肌対向面側に配された外装体を有しており、
前記外装体は、外層シートと、該外層シートよりも肌対向面側に配された内層シートと、前記外層シートと前記内層シートとの間に配された複数本の弾性部材とを有しており、  前記外装体は、前記ウエスト伸縮領域を有しており、
前記ウエスト伸縮領域において、前記外層シートと前記内層シートとの間が、熱シールにより部分的に接合された接合部において接合されており、
前記弾性部材は、その長さ方向の両端部において前記外層シート及び前記内層シートに接合されており、長さ方向の中央部近傍は前記外層シート及び前記内層シートに接合されていない、請求項１〜７の何れか１項に記載の吸収性物品。
【請求項９】
前記吸収性物品は、前記表面シート、前記防漏シート及び前記吸収体を有する吸収性本体と、前記吸収性本体よりも非肌対向面側に配された外装体を有しており、
前記吸収性物品の平面視において、前記非伸縮領域と重なる位置に前記吸収性本体が配されている、請求項１〜８の何れか１項に記載の吸収性物品。
【請求項１０】
前記吸収性物品の前記幅方向における前記非伸縮領域の両側に、複数本の弾性部材が前記幅方向に沿って配された下部伸縮領域が形成されており、
前記下部伸縮領域は、収縮状態において前記長手方向に延びる縦襞が前記幅方向に亘って複数形成されている、請求項１〜９の何れか１項に記載の吸収性物品。
【請求項１１】
前記下部伸縮領域の伸縮応力は、前記ウエスト伸縮領域の伸縮応力と異なる、請求項１０に記載の吸収性物品。
【請求項１２】
前記下部伸縮領域の伸縮応力は、前記ウエスト伸縮領域の伸縮応力よりも高い、請求項１１に記載の吸収性物品。
【請求項１３】
前記下部伸縮領域に配されている弾性部材の繊度は、前記ウエスト伸縮領域に配されている弾性部材の繊度と異なる、請求項１０〜１２の何れか１項に記載の吸収性物品。
【請求項１４】
前記下部伸縮領域の弾性部材の伸長率は、前記ウエスト伸縮領域の弾性部材の伸長率と異なる、請求項１０〜１３の何れか１項に記載の吸収性物品。
【手続補正２】
【補正対象書類名】明細書
【補正対象項目名】００８５
【補正方法】変更
【補正の内容】
【００８５】
＜５＞
前記ウエスト伸縮領域と前記非伸縮領域との前記境界と、前記背側折り返し積層部における前記股下部側の端部との距離が、０．１ｍｍ以上２５ｍｍ以下であり、好ましくは１ｍｍ以上１５ｍｍ以下である、前記＜２＞〜＜４＞の何れか１に記載の吸収性物品。
＜６＞
三つ折り状態になっている前記廃棄用テープが、前記中間部を構成するシート部材が前記止着部側に折り返されて前記止着部を構成するシート部材に接合されている前記腹側折り返し積層部を有している、前記＜１＞〜＜５＞の何れか１に記載の吸収性物品。
＜７＞
前記中間部は、三つ折り状態を解除した展開状態において前記廃棄用テープの長手方向に伸長または伸縮可能である、前記＜１＞〜＜６＞の何れか１に記載の吸収性物品。
＜８＞
前記ウエスト伸縮領域に、前記凹凸として、前記長手方向に延びる縦襞と該縦襞間に位置する溝部とが、前記幅方向に沿って交互に形成されるようになされている、前記＜１＞〜＜７＞の何れか１に記載の吸収性物品。
＜９＞
前記中間部を伸長させたときの該中間部の幅方向の長さが、前記吸収性物品の幅方向に隣り合う前記縦襞どうしの間の距離以上である、前記＜８＞に記載の吸収性物品。
【手続補正３】
【補正対象書類名】明細書
【補正対象項目名】００８６
【補正方法】変更
【補正の内容】
【００８６】
＜１０＞
前記吸収性物品の幅方向に隣り合う前記縦襞どうしの間の距離に対する前記中間部を伸長させたときの該中間部の幅方向の長さの比率が、０．４以上１以下、好ましくは０．５以上０．９５以下である、前記＜９＞に記載の吸収性物品。
＜１１＞
前記吸収性物品の幅方向に隣り合う前記縦襞どうしの間の距離が、０．５ｍｍ以上１５ｍｍ以下、好ましくは１ｍｍ以上５ｍｍ以下である、前記＜９＞又は＜１０＞に記載の吸収性物品。
＜１２＞
前記廃棄用テープの前記摘まみ部における前記股下部側の端部が、前記ウエスト伸縮領域の前記縦襞上に配されている、前記＜９＞〜＜１１＞の何れか１に記載の吸収性物品。